(57)【要約】【課題】  美しくて使用するのに実用的であり、容易に必要ならば片手で開くことができ、しかも単純に製造できるコンパクトを提供する。【解決手段】  本発明は、    本体（２）と；  本体（２）に対して開いた位置と閉じた位置との間で長手方向軸線（Ｘ）に沿って可動であり、化粧品（Ｐ）又はアプリケータを収容する少なくとも一つのハウジング（７）を備えた引き出し（３）と；  引き出し（３）を開いた位置へ向けて動くように強制する弾性部材（３０）と；  本体（２）の側部に設けられ、引き出し（３）を開放しかつ弾性部材（３０）の作用により閉じた位置から開いた位置へ動かすように構成した開放制御部材と；  引き出し（３）を開いている間に引き出し（３）の動きを減速させるよう構成したリターダ（７０）と；を有して成るコンパクトを提供する。【選択図】    図２
2005066350.tif 000002
【特許請求の範囲】
【請求項１】
本体（２）と；
本体（２）に対して開いた位置と閉じた位置との間で長手方向軸線（Ｘ）に沿って可動であり、化粧品（Ｐ）又はアプリケータを収容する少なくとも一つのハウジング（７）を備えた引き出し（３）と；
引き出し（３）を開いた位置へ向けて動くように強制する弾性部材（３０）と；
本体（２）の側部に設けられ、引き出し（３）を開放しかつ弾性部材（３０）の作用により閉じた位置から開いた位置へ動かすように構成した開放制御部材と；
引き出し（３）を開いている間に引き出し（３）の動きを減速させるよう構成したリターダ（７０）と；
を有することを特徴とするコンパクト。
【請求項２】
引き出し（３）にヒンジ結合され、そして引き出し（３）が閉じた位置にある時に引き出し（３）に向って折畳まれ、引き出し（３）が開いた位置にある時には後方へ回動できる回動可能なフラップ（５）を有することを特徴とする請求項１記載のコンパクト。
【請求項３】
フラップ（５）が長手方向中間平面に近い領域において引き出し（３）にヒンジ結合されることを特徴とする請求項２記載のコンパクト。
【請求項４】
フラップ（５）が内側面に鏡（６）を備えていることを特徴とする請求項３記載のコンパクト。
【請求項５】
フラップ（５）の外側面がコンパクトの外側表面の一部を画定していることを特徴とする請求項２〜４のいずれか一項記載のコンパクト。
【請求項６】
リターダ（７０）が引き出し（３）の速度の増加と共に増大する制動力を発生することを特徴とする請求項１記載のコンパクト。
【請求項７】
リターダ（７０）が、引き出し（３）の動いている間中、回転する回転部材（５０）を備えていることを特徴とする請求項５又は６記載のコンパクト。
【請求項８】
本体（２）が、回転部材（５０）に結合したピニオン（５１）と噛合うラック（５５）を備えていることを特徴とする請求項７記載のコンパクト。
【請求項９】
回転部材（５０）が粘性流体内に部分的に含浸されることを特徴とする請求項７又は８記載のコンパクト。
【請求項１０】
弾性部材（３０）が圧縮時に作用するばねから成ることを特徴とする請求項１〜９のいずれか一項記載のコンパクト。
【請求項１１】
ばねがコイルばねであることを特徴とする請求項１０記載のコンパクト。
【請求項１２】
フラップ（５）がスライド通路部材（２０）を備え、また本体（２）がスライド通路部材（２０）と係合するレリーフ部分を備えていることを特徴とする請求項１〜１１のいずれか一項記載のコンパクト。
【請求項１３】
レリーフ部分がラグ（１８）であることを特徴とする請求項１２記載のコンパクト。
【請求項１４】
スライド通路部材（２０）が直線状であることを特徴とする請求項１２記載のコンパクト。
【請求項１５】
開放制御部材（４）が、プラスチックス材料の成形により弾性戻し部材（４９）と一体に単一部片として構成され、ユーザーが開放制御部材（４）を解放する際に、弾性戻し部材（４９）が開放制御部材（４）を初期位置へ戻すように構成されていることを特徴とする請求項１〜１４のいずれか一項記載のコンパクト。
【請求項１６】
開放制御部材（４）が可撓性ロックタブ（４０）を備えていることを特徴とする請求項１〜１５のいずれか一項記載のコンパクト。
【請求項１７】
引き出し（３）を閉じた位置に向って動かす時に、可撓性ロックタブ（４０）を弾性変形して解放するように少なくとも一つのレリーフ部分（４３）が構成されていることを特徴とする請求項１〜１６のいずれか一項記載のコンパクト。
【請求項１８】
可撓性ロックタブ（４０）が凹部（４７）を備え、開放制御部材（４）の作動時上記レリーフ部分（４３）がこの凹部（４７）を通ることのできることを特徴とする請求項１６又は１７記載のコンパクト。
【請求項１９】
開放制御部材（４）が長手方向軸線（Ｘ）に垂直な軸線（Ｙ）に沿って可動であることを特徴とする請求項１〜１８のいずれか一項記載のコンパクト。
【請求項２０】
引き出し（３）を閉じた時にディスク型であることを特徴とする請求項１〜１９のいずれか一項記載のコンパクト。
【請求項２１】
引き出し（３）が化粧品（Ｐ）を収容していることを特徴とする請求項１〜２０のいずれか一項記載のコンパクト。
【請求項２２】
本体（２）と；
本体（２）に対して開いた位置と閉じた位置との間で長手方向軸線（Ｘ）に沿って可動であり、化粧品（Ｐ）又はアプリケータを収容する少なくとも一つのハウジング（７）を備えた引き出し（３）と；
引き出し（３）を開いた位置へ向けて動くように強制する弾性部材（３０）と；
外側面がコンパクトの外側面の一部を画定回動可能なフラップ（５）と；
を有することを特徴とするコンパクト。
【発明の詳細な説明】
【技術分野】
【０００１】
本発明は、化粧品及び油アプリケータの少なくとも一方を収容するように構成したコンパクトに関するものである。
【背景技術】
【０００２】
特許文献１には、本体と、本体に対して開いた位置と閉じた位置との間で長手方向軸線に沿って可動であり、化粧品を収容するのに適したハウジングを備えた引き出しとを有するコンパクトが記載されている。ばねは、引き出しを開いた位置へ向けて動くように強制している。使用していない時には、ロック部材により引き出しは閉じた位置に保持できる。コンパクトはさらに、引き出しにヒンジ結合されかつ鏡を担持したフラップを有し、このフラップは、引き出しを開いた時に化粧品を収容しているハウジングから離れて動き、後方へ傾斜する位置となる。
【０００３】
この公知のコンパクトでは、引き出しを閉じた位置に保持するロック部材はホックで構成されており、美しくもなく取り扱いも実用的でない。
【０００４】
引き出し及び鏡を担持するヒンジ付きフラップを備えた別のコンパクトは特許文献２に記載されている。このコンパクトにおいては、引き出しは手で開いた位置へ動かす必要があり、使用するのに実用的でない。
【特許文献１】フランス国特許第７０７３６１号
【特許文献２】米国特許第３５８６０１０号
【０００５】
さらに、種々の公知のコンパクトでは、鏡を担持した閉じ蓋が本体にヒンジ結合されている。このようにコンパクトは片手で開けるのが難しい。
【発明の開示】
【発明が解決しようとする課題】
【０００６】
美しくて使用するのに実用的であり、しかも大量市場に適した製造が十分に単純のままであるコンパクトの利点の要求がある。
【０００７】
また、容易に必要ならば片手で開くことができるコンパクトを提供することが要望されている。
【０００８】
本発明は上記要求や要望の全て又は幾つかを満足させることにある。
【０００９】
本発明の第１の特徴において、本発明は、
本体と；
本体に対して開いた位置と閉じた位置との間で長手方向軸線に沿って可動であり、化粧品又はアプリケータを収容する少なくとも一つのハウジングを備えた引き出しと；
引き出しを開いた位置へ向けて動くように強制する弾性部材と；
を有して成るコンパクトを提供する。
【００１０】
コンパクトはまた、引き出しを開いている間に引き出しの動きを減速させるよう構成したリターダを有し得る。
【００１１】
コンパクトはまた、コンパクトの本体の側部に設けられ、引き出しを開放しかつ弾性部材の作用により閉じた位置から開いた位置へ動かすように構成した開放制御部材を有し得る。
【００１２】
特に、開放制御部材は、長手方向軸線に垂直な軸線に沿って動くことができる。
【００１３】
開放制御部材を、コンパクトの本体の側部に設けたことにより、コンパクトは片手で容易に開くことができ、それによりコンパクトは実用的に使用できる。
【００１４】
本発明の好ましい実施形態によれば、コンパクトはさらに、引き出しにヒンジ結合され、そして引き出しが閉じた位置にある時に引き出しに向って折畳まれ、引き出しが開いた位置にある時には後方へ回動できる回動可能なフラップを有する。
【００１５】
フラップは有利には、内側面に鏡を備えている。
【００１６】
フラップは多くの仕方で引き出しにヒンジ結合され得、例えば長手方向中間平面に近い領域で引き出しにヒンジ結合され得る。
【００１７】
フラップの外側面は、コンパクトの外側表面の一部を画定し得る。
【００１８】
この場合、フラップは、例えば、上記外側表面を画定する凸状壁を備え得る。
【００１９】
リターダは、引き出しを相対的にゆっくりと開かせることができ、また鏡を担持しているフラップを相対的にゆっくりと回動させることができ、ユーザーに豪華な印象を与える。
【００２０】
例として、リターダは、コンパクトの本体に対して引き出しが動いている間中、回転する回転部材を備えることができる。
【００２１】
例として、コンパクトの本体は、回転部材に結合したピニオンと噛合うラックを備えることができる。回転部材は粘性流体内に部分的に含浸され得、流体は、速度の増加と共に増大しかつ弾性部材の増大する力と共に増大する制動力を作用させる。
【００２２】
弾性部材は、種々の形式を採り得、そしてばね、例えば特に圧縮時に作用するコイルばねから成り得る。
【００２３】
フラップはスライド通路部材を備えることができ、またコンパクトの本体はスライド通路部材と係合するレリーフ部分、例えばラグを備えることができる。スライド通路部材は例えば直線状であり得る。
【００２４】
有利には、開放制御部材は、プラスチックス材料の成形により弾性戻し部材と一体に単一部片として構成され、開放制御部材を解放する際に、開放制御部材を初期位置へ戻すことができる。
【００２５】
例として、開放制御部材は可撓性ロックタブを備えることができ、また、引出しは、引き出しを閉じた位置に向って動かす時に、可撓性ロックタブを弾性変形して解放するように少なくとも一つのレリーフ部分を備えることができる。
【００２６】
可撓性ロックタブは開口を備えることができ、開放制御部材の作動時に、レリーフ部分はこの開口を通ることのできる。
【００２７】
本発明の実施形態においては、可撓性ロックタブは、プラスチックス材料の成形により開放制御部材と一体に単一部片として構成される。
【００２８】
例として、コンパクトは、引き出しを閉じた際にディスク形状となり得る。
【００２９】
引き出しは、ケアー製品を含む化粧品を収容できる。
【００３０】
本発明の別の特徴によれば、本発明は、
本体と；
本体に対して開いた位置と閉じた位置との間で長手方向軸線に沿って可動であり、化粧品又はアプリケータを収容する少なくとも一つのハウジングを備えた引き出しと；
引き出しを開いた位置へ向けて動くように強制する弾性部材と；
外側面がコンパクトの外側表面の一部を画定する回動可能なフラップと；
を有して成るコンパクトを提供する。
【００３１】
本発明の別の特徴によれば、本発明は、
ラックを備えた本体と；
本体に対して開いた位置と閉じた位置との間で長手方向軸線に沿って可動であり、化粧品又はアプリケータを収容する少なくとも一つのハウジングを備えた引き出しと；
引き出しを開いた位置へ向けて動くように強制する弾性部材と；
引き出しで担持され、ラックに噛合うピニオンによって駆動される回転部材を備えたリターダと； 
を有して成るコンパクトを提供する。
【００３２】
本発明の別の特徴によれば、本発明は、
本体と；
本体に対して開いた位置と閉じた位置との間で長手方向軸線に沿って可動であり、化粧品又はアプリケータを収容する少なくとも一つのハウジングを備えた引き出しと；
引き出しを開いた位置へ向けて動くように強制する弾性部材と；
引き出しにヒンジ結合され、そして中間領域にほぼＬ字形のタブを備えたフラップと；
を有し、タブにピンが通され、ピンの各端部が引き出しのそれぞれのハウジングに収容されて成るコンパクトを提供する。引き出しは、それの底面に、例えばピンを適位置へ配置できる半円形断面の溝を備えることができる。
【００３３】
本発明は、添付図面を参照して、本発明を限定しない実施形態についての以下の詳細な説明から一層良く理解される。
【発明を実施するための最良の形態】
【００３４】
特に図１〜図３に示すコンパクト１は、一般的に平坦な形状の本体２と、長手方向軸線Ｘに沿って本体２に対して可動である引き出し３と、軸線Ｘにほぼ垂直な軸線Ｙに沿って押圧され、引出し３を開けたり、図１に示す閉じた位置から図２に示す開いた位置へ引出し３を自動的に動かすようにする開放制御部材４とを有している。
【００３５】
例として、本体２は、底部分と頂部分とを一緒に組立てることにより形成され、各部分は、本質的にはプラスチックス材料の成形により構成されている。組立は、例えばスナップ嵌め、熱シール又は接着剤により行なうことができる。
【００３６】
コンパクト１はさらに、軸線Ｘに垂直な回転軸線Ｒのまわりで引き出し３にヒンジ結合されるフラップ５を有している。
【００３７】
フラップ５はその内側面に鏡６を備えている。
【００３８】
引き出し３はハウジング７を備え、このハウジング７は図示例では、少なくとも一つの物質Ｐの供給源、特に例えばファンデーション、頬紅、ルージュ、アイシャドウ、又はマスカラのケーキのような化粧品を収容する。
【００３９】
当然、本発明は特定の物質Ｐに限定されるものではなく、ハウジング７は例えば櫛、ブラシ、絵筆、スポンジ、又は発泡体のようなアプリケータを収容することもできるが、ここに挙げたリストは本発明を限定するものではない。
【００４０】
必要ならば、引出し３は、少なくとも一つの物質の供給源を収容するハウジングと、身体の表面に一つ又は複数の物質を塗布できる少なくとも一つのアプリケータを収容する少なくとも一つのハウジングとの両方を備えてもよい。
【００４１】
引き出し３の前方部分３ａの平面とミラー６との成す角度αは、引き出し３が図３に見られるように、開いた位置にある時に鈍角であり、この角度は例えば約１２０°である。
【００４２】
考察している例では、フラップ５はその底部に、ほぼＬ字形のタブ１０を備え、タブ１０は、特に図７に見られるように、前方へ向って鏡６の平面にほぼ垂直にのびる基部を備えている。タブ１０は、軸線Ｘを含む長手方向中間平面に近い領域において引き出し３内に形成したハウジング１２内に収容されている。
【００４３】
ピン１４、例えば金属ピンは、回転軸線Ｒに沿ってタブ１０を通り、ピン１４の端部は図４に示すように、引き出し３のボス６０に係合し、ボス６０は、例えばハウジング１２の各側部にプラスチックス材料を横方向に成形することで引き出し３と一体に単一部片として構成されている。
【００４４】
特に図４に見られるように、引き出し３の底面１７には半円形断面の溝１６が設けられ得、この溝１６によりピン１４はボス６０及びタブ１０を通って適位置に配置することができる。
【００４５】
特に図３及び図６に見られるように、コンパクトの本体２は例えばラグ１８のような少なくとも一つのレリーフ部分を備え、このレリーフ部分はフラップ５のスライド通路部材２０と共動して、引き出し３が閉じた位置から開いた位置へ動く際にフラップツを後方へ回動させ、一方引き出しが閉じられる際には前方へ回動させる。
【００４６】
考察している例では、スライド通路部材２０は直線状であり、図７に見られるように、タブ１０のほぼ底端部から鏡６のほぼ中ごろまでのびている。
【００４７】
スライド通路部材２０は、フラップ５のほぼ中間平面にのびる壁２２に設けられている。
【００４８】
考察している例では、ラグ１８は、プラスチックス材料の成形によりコンパクトの本体２の頂部分と一体に単一部片として形成される壁２３で担持されている。図１に見られるように、フラップ１には、相応したノッチ６１が形成されている。
【００４９】
図示例では、スライド通路部材２０の長手方向軸線は、鏡６の平面にほぼ平行に向けられている。
【００５０】
図４及び図５に示すように、コンパクト１はまた、引き出し３をそれ開いた位置へ向って強制する弾性部材３０を備えている。
【００５１】
図示したように、例として、弾性部材３０はコイルばねの形状であり、このばねの長手方向軸線は軸線Ｘに平行であり、圧縮時に作用し、またばね３０の一端部は引き出し３の後方部分に当接し、ばね３０の反対側の端部はコンパクトの本体２に当接している。
【００５２】
図５に示すように、コンパクトが閉じた状態にある時、ばね３０を圧縮した状態で収容するためハウジング３１が引き出し２に設けられている。
【００５３】
引き出し３はロック部材４０によって閉じた位置に保持でき、このロック部材４０は、考察している例では、プラスチックス材料の成形により開放制御部材４と一体に単一部片として構成されている。
【００５４】
考察している例において、ロック部材４０は、引き出し３の底面１７の近くに配置される可撓性タブの形態であり、この可撓性タブに対して、図５に示すように、引き出し３の底面１７に設けたレリーフ部分４３が接触できる。
【００５５】
レリーフ部分４３は、軸線Ｘ及び底面１７の平面にほぼ垂直にのびる前面４４を備えた歯の形態であり、前面４４は、引き出し３が閉じた位置にありかつ制御部材４が止まっていて、戻しばね３０の作用に抗して引き出し３を静止状態に保持するようにしている時に、ロックタブ４２の端部分４６に当接する。
【００５６】
レリーフ部分４３はまた、後方傾斜面４５を備え、この後方傾斜面４５は前方面４４の反対側に位置し、ユーザーが引き出し３をそれの閉じた位置へ向って押し込んだ時にタブ４０を離れることができ、タブ４０は、レリーフ部分４３がその下を通過する際に持ち上がることのできるある一定量の弾性をもっている。
【００５７】
タブ４０には凹部４７が設けられ、この凹部４７は、開放制御部材４が軸線Ｘに沿って完全に押し込まれると、レリーフ部分４３と対面するようにタブ４０に位置決めされている。従って、歯即ちレリーフ部分４３の前方面４４はタブ４０上に支持されなくなり、そして引き出し３は戻しばね３０の働きで開いた位置に達することができる。
【００５８】
図８に示すように、開放制御部材４は有利には、弾性戻し部材４９を備え、この弾性戻し部材４９により開放制御部材は、ユーザーが押圧を止めると、初期位置へ戻される。
【００５９】
例として、戻し部材４９は、コンパクトの本体に設けた支持表面に対してU字形のウエブに支持しているU字形可撓性刃の形態に、開放制御部材４と一体に単一部片として構成されている。
【００６０】
例として、開放制御部材４は、引き出しから離れたタブ４０の端部が本体２の頂部分の支持表面に当接することによってコンパクトらから出て行くのを阻止される。
【００６１】
戻しばね３０の作用のもとで引き出し３が閉じた位置から開いた位置へ動く際に、引き出し３０の動きを減速させるために、リターダ７０が設けられる。
【００６２】
考察している例では、リターダ７０は、ピニオン５１で回転される回転部材５０、及び引き出し３の後方部分の相応したハウジングに固定したボックス５２を備えている。
【００６３】
図示例において、回転部材５０はボックス５２内に位置した要素を回転し、ボックス５２には粘性液体例えばシリコーン油が充填され、それにより回転速度の増加と共に増大する制動トルクが発生される。考察している例では、回転部材の回転軸線は軸線Xに垂直でありかつ鏡の平面に垂直である。
【００６４】
コンパクトの本体２は、軸線Ｘに平行に向いたラック５５を備え、このラック５５にピニオン５１が噛合う。
【００６５】
軸線Ｘに沿った引き出し３の動きは、ピニオン５１及び従ってリターダ７０の回転部材５０の回転によって行なわれ、それにより引き出し３の開く動きは減速される。
【００６６】
コンパクト１は次のように機能する。引き出し３は図１に示すように閉じた位置にあると仮定する。フラップ５は物質Ｐを覆っている。
【００６７】
コンパクト１を使用するために、ユーザーは開放制御部材４を軸線Ｙに沿って押す。これにより引き出し３はフリーとなり、ばね３０の伸張及びリターダ７０による妨げ作用でゆっくりと開いた位置に達することができる。
【００６８】
こうしてコンパクトが一度開かれると、ユーザーは化粧品を取り出して鏡６を見ながら化粧を施すことができる。
【００６９】
引き出し３を閉じるためには、ユーザーは、レリーフ部分４３がタブ４０の背後に係合するまで軸線Ｘに沿って引き出し３を押し込む。
【００７０】
当然ながら、本発明は上記の実施形態に限定されるものではない。特に、開放制御部材、引き出し、又は引き出しにおけるフラップのヒンジは他の仕方で設けることができ、そして引き出しの開く動きは他の仕方で減速され得る。
【００７１】
特許請求の範囲を含む明細書の記載において、用語“有する、備える、又はから成る”は、特に注釈しない限り“少なくとも一つ有する、少なくとも一つ備える、又は少なくとも一つから成る”と同義であると理解されるべきである。
【図面の簡単な説明】
【００７２】
【図１】引き出しを閉じた時のコンパクトを示す概略斜視図。
【図２】引き出しを開いた時のコンパクトを示す概略斜視図。
【図３】引き出しを開いた時のコンパクトを示す概略長手方向断面図。
【図４】引出しの駆動機構を開いた状態で見えるようにコンパクトの本体を外した状態でコンパクトの下から見た概略斜視図。
【図５】引き出しが閉じた位置にある図４と同様な図。
【図６】コンパクトの本体を分離して示す概略斜視図。
【図７】フラップと引出しとの間のヒンジの実施形態の細部を示す概略斜視図。
【図８】開放制御部材を分離して示す斜視図。
【図９】コンパクトの本体内に配置した開放制御部材を示す概略斜視図。
【符号の説明】
【００７３】
１：コンパクト
２：本体
３：引き出し
３ａ：引き出し３の前方部分
４：開放制御部材
５：フラップ
６：鏡
７：ハウジング
１０：タブ
１２：ハウジング
１４：ピン
１６：溝
１７：引き出し３の底面
１８：ラグ
２０：スライド通路部材
２２：壁
２３：壁
３０：弾性部材
３１：ハウジング
４０：ロック部材（タブ）
４２：ロックタブ
４３：レリーフ部分
４４：前面
４５：後方傾斜面
４６：ロックタブ４２の端部分
４７：凹部
４９：弾性戻し部材
５０：回転部材
５１：ピニオン
５２：ボックス
５５：ラック
６０：引き出し３のボス
６１：ノッチ
７０：リターダ
Ｐ：物質
【図１】
2005066350.tif 000003
【図２】
2005066350.tif 000004
【図３】
2005066350.tif 000005
【図４】
2005066350.tif 000006
【図５】
2005066350.tif 000007
【図６】
2005066350.tif 000008
【図７】
2005066350.tif 000009
【図８】
2005066350.tif 000010
【図９】
2005066350.tif 000011